(57)【要約】      （修正有）【課題】  組立時間を節約し並びに組立、修理の便利性を増したコンピュータ用ラック装置の提供。【解決手段】  コンピュータ装置１のシャーシ２内に組付けられるラック装置は、シャーシ底板２１に組付けられる垂直隔板４を具え、該垂直隔板の上方にカバー３が跨設され、垂直隔板４の後側に後ろ垂直板５が組付けられ、且つ後ろ垂直板５がその下端を以て直接垂直隔板後側に形成された位置決め凹溝内４２１に挿入され、これにより後ろ垂直板５が正確に位置決めされ、このほか、該カバー３と後ろ垂直板５に分離式設計が採用されたことで、組付け或いは修理の時に、直接後ろ垂直板５を取り外せばよく、有効に組立時間を節約でき、修理と組立の便利性を増した。【選択図】        図１
2005301965.tif 000002
【特許請求の範囲】
【請求項１】
コンピュータ装置の底板、及び該底板の左右側より垂直に上向きに延伸された側板を具えたシャーシ内に組付けられたコンピュータ用ラック装置であり、少なくとも一つの垂直隔板、カバー及び後ろ垂直板を具え、
該少なくとも一つの垂直隔板は縦向きに垂直にシャーシの底板上に組付けられ並びにシャーシの左右の側板の間に設けられ、且つ各垂直隔板は、上端面、及び後端を具え、そのうち、上端面に少なくとも一つの前側固定手段、及び少なくとも一つの後側固定手段が設けられ、後端の底端に後ろ向きに延伸された位置決め凹溝が設けられ、この位置決め凹溝の開口が上向きとされ、
該カバーはシャーシの左右の側板の上方に跨設され、且つ各垂直隔板の上端面上方を被覆し、且つ該カバーは少なくとも一つの固定構造を具え、該固定構造は対応する該前側固定手段に固定され、
該後ろ垂直板は上端と下端を具え、そのうち上端に前向きに折られた折り板が設けられ、該折り板が少なくとも一つの固定手段を具え、該後ろ垂直板はその下端が上述の少なくとも一つの垂直隔板の位置決め凹溝内に挿入されて位置決めされ、後ろ垂直板の上方の折り板が少なくとも一つの垂直隔板の上に跨設され、並びに該固定手段が垂直隔板の後ろ固定手段に対応し固定されることを特徴とする、コンピュータ用ラック装置。
【請求項２】
請求項１記載のコンピュータ用ラック装置において、後ろ垂直板が基板とされ、その下端が基板の下端とされたことを特徴とする、コンピュータ用ラック装置。
【請求項３】
請求項１記載のコンピュータ用ラック装置において、前側固定手段がネジ孔とされ、固定構造が貫通孔とされ、ネジが該貫通孔に通されて該ネジ孔に螺合されたことを特徴とする、コンピュータ用ラック装置。
【請求項４】
請求項１記載のコンピュータ用ラック装置において、後側固定手段が螺合孔とされ、固定手段が貫通孔とされ、ネジがこの貫通孔に通されて該螺合孔に螺合されたことを特徴とする、コンピュータ用ラック装置。
【発明の詳細な説明】
【技術分野】
【０００１】
本発明はラック装置に係り、特にコンピュータ装置内のラック装置であって、特にサーバーに適用されるラック装置に関する。
【背景技術】
【０００２】
一般にコンピュータ装置、特にサーバーは、その内部に複数のアレイ配列方式で組付けられたハードディスクを具え、且つサーバーのシャーシにはラックが組付けられてハードディスクを収容し、ラックの後側に下向きに延伸された垂直支持フレームが設けられ、垂直支持フレームに基板が設置され、基板に複数の接続ポートが設けられてこれらのハードディスクに対応し、接続されている。
【０００３】
しかし、上述の周知のラック装置及び垂直支持フレームは直接一体成形により形成され、その後にサーバーのシャーシに組付けられる。このため垂直支持フレームがシャーシ内に組付けられる時、適当な位置決め構造がないために、ハードディスクがラック装置内に組付けられ並びに後ろ向きに押される時、垂直支持フレームが押圧を受けて後ろに傾き、ハードディスクが正確に垂直支持フレームの接続ポートに対応して接続されることができなくなる。反対にハードディスクを取り出して基板上の接続ポートとの接続を解除したい時、垂直支持フレームが前向きの引っ張り力を受けて偏移或いは損壊を形成することがある。
【０００４】
このほか、修理或いは取り外し、組立過程で、全てのハードディスクを取り出した後でなければラック装置及び垂直支持フレームを一体に取り出す或いは組み付けることができず、使用上、理想的とはいえない。
【発明の開示】
【発明が解決しようとする課題】
【０００５】
本発明の主要な目的は、一種のラック装置を提供することにあり、それは、シャーシ内に正確に位置決めされ、並びに組立の時間を節約でき、修理及び組立時の便利性を増すことができるラック装置であるものとする。
【課題を解決するための手段】
【０００６】
請求項１の発明は、コンピュータ装置の底板、及び該底板の左右側より垂直に上向きに延伸された側板を具えたシャーシ内に組付けられたコンピュータ用ラック装置であり、少なくとも一つの垂直隔板、カバー及び後ろ垂直板を具え、
該少なくとも一つの垂直隔板は縦向きに垂直にシャーシの底板上に組付けられ並びにシャーシの左右の側板の間に設けられ、且つ各垂直隔板は、上端面、及び後端を具え、そのうち、上端面に少なくとも一つの前側固定手段、及び少なくとも一つの後側固定手段が設けられ、後端の底端に後ろ向きに延伸された位置決め凹溝が設けられ、この位置決め凹溝の開口が上向きとされ、
該カバーはシャーシの左右の側板の上方に跨設され、且つ各垂直隔板の上端面上方を被覆し、且つ該カバーは少なくとも一つの固定構造を具え、該固定構造は対応する該前側固定手段に固定され、
該後ろ垂直板は上端と下端を具え、そのうち上端に前向きに折られた折り板が設けられ、該折り板が少なくとも一つの固定手段を具え、該後ろ垂直板はその下端が上述の少なくとも一つの垂直隔板の位置決め凹溝内に挿入されて位置決めされ、後ろ垂直板の上方の折り板が少なくとも一つの垂直隔板の上に跨設され、並びに該固定手段が垂直隔板の後ろ固定手段に対応し固定されることを特徴とする、コンピュータ用ラック装置としている。
請求項２の発明は、請求項１記載のコンピュータ用ラック装置において、後ろ垂直板が基板とされ、その下端が基板の下端とされたことを特徴とする、コンピュータ用ラック装置としている。
請求項３の発明は、請求項１記載のコンピュータ用ラック装置において、前側固定手段がネジ孔とされ、固定構造が貫通孔とされ、ネジが該貫通孔に通されて該ネジ孔に螺合されたことを特徴とする、コンピュータ用ラック装置としている。
請求項４の発明は、請求項１記載のコンピュータ用ラック装置において、後側固定手段が螺合孔とされ、固定手段が貫通孔とされ、ネジがこの貫通孔に通されて該螺合孔に螺合されたことを特徴とする、コンピュータ用ラック装置としている。
【発明の効果】
【０００７】
本発明によると、その後ろ垂直板が下端を以て直接少なくとも一つの垂直隔板の位置決め凹溝内に対応し挿入され、並びに正確に位置決めされ、且つカバーと後ろ垂直板は分離式設計とされ、組立或いは修理時に後ろ垂直板だけを取り外すことができ、これにより組立の時間を節約でき、並びに修理と組立時の便利性を増すことができる。
【発明を実施するための最良の形態】
【０００８】
本発明のラック装置はコンピュータ装置のシャーシ内に組付けられ、且つコンピュータ装置のシャーシは底板、及び左右の側板を具え、そのうち左右の側板は底板の二側より上向きに垂直に延伸されている。
【０００９】
本発明のラック装置は少なくとも一つの垂直隔板、カバー及び後ろ垂直板を具えている。そのうち、少なくとも一つの垂直隔板は縦向きに垂直にシャーシの底板上に組付けられ並びにシャーシの左右の側板の間に設けられ、且つ少なくとも一つの垂直隔板は、上端面、及び後端を具え、そのうち、上端面に少なくとも一つの前側固定手段、及び少なくとも一つの後側固定手段が設けられ、後端の底端に後ろ向きに延伸された位置決め凹溝が設けられ、この位置決め凹溝の開口は上向きとされている。
【００１０】
このほか、カバーはシャーシの左右の側板の上方に跨設され、且つ上述の少なくとも一つの垂直隔板の上端面上方を被覆し、且つこのカバーは少なくとも一つの固定構造を具え、それは少なくとも一つの垂直隔板の少なくとも一つの前側固定手段に対応しそれに固定される。
【００１１】
このほか、後ろ垂直板は上端と下端を具え、そのうち上端に前向きに折られた折り板が設けられ、且つこの折り板が少なくとも一つの固定手段を具え、後ろ垂直板はその下端が上述の少なくとも一つの垂直隔板の位置決め凹溝内に挿入されて位置決めされ、後ろ垂直板の上方の折り板が少なくとも一つの垂直隔板の上に跨設され、並びにその少なくとも一つの固定手段が少なくとも一つの垂直隔板の少なくとも一つの後ろ固定手段に対応し固定される。
【００１２】
以上から分かるように、後ろ垂直板はその下端を以て直接少なくとも一つの垂直隔板の位置決め凹溝内に対応し挿入され、並びに正確に位置決めされ、且つカバーと後ろ垂直板は分離式設計とされ、組立或いは修理時に後ろ垂直板だけを取り外すことができ、これにより組立の時間を節約でき、並びに修理と組立時の便利性を増すことができる。
【実施例１】
【００１３】
図１は本発明の立体分解図、図２は本発明の断面図である。本発明のコンピュータ用ラック装置はコンピュータ装置１のシャーシ２内に組付けられ、且つコンピュータ装置１のシャーシ２は底板２１、及び左右の側板２２を具え、そのうち左右の側板２２は底板２１の左右側より上向きに垂直に延伸されている。
【００１４】
図示される本発明のラック装置は三つの垂直隔板４、カバー３及び後ろ垂直板５を具えている。そのうち、三つの垂直隔板４は縦向きに垂直にシャーシ２の底板２１上に組付けられ並びにシャーシ２の左右の側板２２の間に設けられ、且つ各垂直隔板４は、上端面４１及び後端４２を具え、そのうち、上端面４１に前側固定手段４１１、及び後側固定手段４１２が設けられ、後端４２の底端に後ろ向きに延伸された位置決め凹溝４２１が設けられ、この位置決め凹溝４２１は上向きの開口４２０を具えている。本実施例では、前側固定手段４１１には複数のネジ孔が使用され、後側固定手段４１２には螺合孔が使用されている。
【００１５】
このほか、図中のカバー３はシャーシ２の左右の側板２２の上方に跨設され、且つ上述の三つの垂直隔板４の上端面４１上方を被覆し、且つこのカバー３は固定構造３１を具え、本実施例では、この固定構造３１には複数の貫通孔が使用され、且つ該貫通孔は上述の各垂直隔板４の前側固定手段４１１の複数のネジ孔に対応し、並びに複数のネジ６１が対応する前述の貫通孔を通りネジ孔に螺合され、これによりカバー３が垂直隔板４の上端面４１の上方に固定される。
【００１６】
このほか、図中の後ろ垂直板５は上端５１と下端５２を具え、そのうち上端５１に前向きに折られた折り板５３が設けられ、且つこの折り板５３が複数の固定手段５３１を具えている。本実施例では、後ろ垂直板５は基板５４を指し、且つ下端５２はこの基板５４の下端５４１を指し、また基板５４に複数の接続ポート５４２が組付けられている。
【００１７】
組立時には、後ろ垂直板５がその下端５２を以て上述の三つの垂直隔板４の位置決め凹溝４２１の開口４２０に挿入されて位置決めされ、後ろ垂直板５の上方の折り板５３が各垂直隔板４の上に対応するよう跨設され、その複数の固定手段５３１が各垂直隔板４の後側固定手段４１２に対応し、本実施例では、折り板５３の固定手段５３１に貫通孔が使用され、並びに複数のネジ６２が折り板５３の対応する貫通孔を通り対応する垂直隔板４の後側固定手段４１２の螺合孔に螺合され、これにより後ろ垂直板５が各垂直隔板４に固定される。
【００１８】
以上から分かるように、後ろ垂直板５を組み付ける時は、その下端５２を直接各垂直隔板４の位置決め凹溝４２１内に挿入すれば正確な位置決めが形成され、ハードディスク７をシャーシ２内に組付けて後方に押圧する時、後ろ垂直板５が各垂直隔板４の位置決め凹溝４２１の位置決めを受けて後ろに偏移しないため、ハードディスク７のみを後方に移動させてハードディスク７の接続ユニット７１を後ろ垂直板５の接続ポート５４２に正確に対応させて接続することができる。反対にハードディスク７を取り出したい時は、後ろ垂直板５が各垂直隔板４の位置決め凹溝４２１の位置決めを受けて前方に偏移しない。
【００１９】
このほか、上述のカバー３と後ろ垂直板５には分離式設計が採用されるため、組立及び修理時に全てのハードディスク７を取り出す必要がなく、後ろ垂直板５を取り外すだけで行なえ、これにより組立時間を節約し、修理と組立時の便利性を増すことができる。
以上の実施例は本発明の範囲を制限するものではなく、本発明に基づきなしうる細部の修飾或いは改変は、いずれも本発明の請求範囲に属するものとする。
【図面の簡単な説明】
【００２０】
【図１】本発明の立体分解図である。
【図２】本発明の断面図である。
【符号の説明】
【００２１】
１  コンピュータ装置        ２  シャーシ          ２１  底板
２２  側板                  ３  カバー            ３１  固定構造
４  垂直隔板                ４１  上端面          ４１１  前側固定手段
４１２  後側固定手段        ４２  後端            ４２０  開口
４２１  位置決め凹溝        ５  後ろ垂直板        ５１  上端
５２  下端                  ５３  折り板          ５３１  固定手段
５４  基板                  ５４１  下端          ５４２  接続ポート
６１  ネジ                  ６２  ネジ            ７  ハードディスク
７１  接続ユニット
【図１】
2005301965.tif 000003
【図２】
2005301965.tif 000004